(57)【要約】      （修正有）【課題】分別が容易で、中身が視認可能なスリーブ付カップを提供する。【解決手段】本スリーブ付カップ１は、スリーブ１０とカップ２１を有している。スリーブ本体１１には切り込みが形成され、切り込みが形成された部分を外側へ引き出すと取っ手１５となる。カップ２１をスリーブ１０に挿入すると、スリーブ１０がカップ２１に装着され、スリーブ１０の窓部１９内にカップ２１の側壁が露出する。カップ２１の側壁が透視性を有する場合、窓部１９を介してカップ２１の中身を視認できる。【選択図】図２
0003154204.tif 000002
【実用新案登録請求の範囲】
【請求項１】
筒状のスリーブ本体と、
前記スリーブ本体に形成された２つの切り込みと、を有し、
前記各切り込みは湾曲した線状であって、両端が対向するように対称配置され、
前記切り込みの間の部分を、前記スリーブ本体の外側へ引き出すと、二つの取っ手が形成され、
前記スリーブ本体の前記切り込みが引き出された部分に窓部が形成されるカップ用のスリーブ。
【請求項２】
前記スリーブ本体の前記切り込みの間の部分には開口が形成され、
前記取っ手は、前記切り込みと前記開口との間の部分からなる請求項１記載のカップ用のスリーブ。
【請求項３】
請求項１又は請求項２のいずれか１項記載のスリーブと、液体を保持するカップと、を有し、
前記カップを前記スリーブに挿入すると、前記窓部内に前記カップの側壁が露出するスリーブ付カップ。
【請求項４】
前記カップの側壁は透視性を有する請求項３記載のスリーブ付カップ。
【請求項５】
前記カップの側壁には、底面から上端に向かって延びる複数本の溝が、前記カップの周方向に沿って並んで形成された請求項３又は請求項４のいずれか１項記載のスリーブ付カップ。
【請求項６】
前記カップの底面には、前記カップの外側へ突き出る突起部が複数形成された請求項３乃至請求項５のいずれか１項記載のスリーブ付カップ。
【請求項７】
前記各突起部は細長であって、前記カップの底面外周に対し斜めに配置された請求項６記載のスリーブ付カップ。
【請求項８】
前記カップと前記スリーブが異なる材料からなる請求項３乃至請求項７のいずれか１項記載のスリーブ付カップ。
【考案の詳細な説明】
【技術分野】
【０００１】
本考案はカップ用スリーブ及びスリーブ付カップ（コップ）に関するものである。
【背景技術】
【０００２】
従来より、紙やプラスチック製のカップ用には、スリーブ（ホルダー）が広く用いられており、カップをスリーブに挿入して使用される。使用者が把持しやすいように、スリーブには取っ手が設けられることが多いが、従来のスリーブは、硬質プラスチック製であり、取っ手が外側に突き出しているため、不使用時の収納性に劣るという問題があった。
【０００３】
また、スリーブは、強度を考慮して、着色（一般的には黒）して製品化されることから、スリーブが不透明になり、飲料がカップ内にどの程度残っているかを視認することが困難であった。
【先行技術文献】
【特許文献】
【０００４】
【特許文献１】特開２０００−１９０９３９号公報
【特許文献２】特開平５−１６９７７号公報
【特許文献３】特開２００４−２８４６８３号公報
【考案の概要】
【考案が解決しようとする課題】
【０００５】
本考案は、不使用時の収納性に優れたスリーブ及びスリーブ付カップを提供することを課題とする。
【課題を解決するための手段】
【０００６】
本考案は、筒状のスリーブ本体と、スリーブ本体に形成された２つの切り込みとを有し、各切り込みは湾曲した線状であって、両端が対向するように対称配置され、切り込みの間の部分を、前記スリーブ本体の外側へ引き出すと、二つの取っ手が形成され、スリーブ本体の前記切り込みが引き出された部分に窓部が形成されるカップ用のスリーブである。
本考案のスリーブでは、スリーブ本体の前記切り込みの間の部分に開口を形成し、取っ手を、切り込みと開口との間の部分で構成することもできる。
更に、本考案は、上記スリーブと、液体を保持するカップとを有し、カップを前記スリーブに挿入すると、窓部内にカップの側壁が露出するスリーブ付カップである。
カップの側壁に透視性を持たせることも可能であり、更にカップの側壁に、底面から上端に向かって延びる複数本の溝を、カップの周方向に沿って並んで形成することもできる。
カップの底面には、カップの外側へ突き出る突起部を複数形成することも可能であり、各突起部を細長にし、カップの底面外周に対し斜めに配置することもできる。また、カップとスリーブを異なる材料で構成することもできる。
【考案の効果】
【０００７】
本考案は使用時に取っ手を引き出すため、不使用時におけるスリーブの収納性が高い。カップとホルダーが容易に分離されるため、カップとホルダーを分別資源回収に出すことが簡易である。使用時はカップの側壁がスリーブの窓部内に露出するため、窓部を介してカップ内の飲料を視認できる。
【図面の簡単な説明】
【０００８】
【図１】本考案のスリーブの背面図である。
【図２】本考案第一例のスリーブ付カップの斜視図である。
【図３】本考案第一例のスリーブ付カップの使用状態を示す側面図である。
【図４】図３のＡ−Ａ切断線断面図である。
【図５】本考案のスリーブ付カップを把持した状態を示す底面図である。
【図６】本考案第二例のスリーブ付カップの使用状態を示す側面図である。
【図７】本考案第三例のスリーブ付カップを示す側面図である。
【図８】保温効果を比較するグラフである。
【考案を実施するための形態】
【０００９】
図１は本考案のスリーブ１０の一例を示す背面図である。スリーブ１０は、筒状のスリーブ本体１１を有し、スリーブ本体１１の側壁には切り込み１６が形成されている。切り込み１６の形状は特に限定されないが、例えば、半円の外周に沿って折れ曲がったカーブ状や、多角形の連続する複数辺に沿って折れ曲がったカーブ状である。即ち、切り込み１６は湾曲した線状である。各切り込み１６の形状及び大きさは略等しく、カーブの両端が互いに向かい合うように、間隔を空けて対称配置されている。
２つの切り込み１６の間には、開口１４が形成されている。開口１４の数は１つであってもよいし、２以上であってもよいが、ここでは、開口１４は２つであり、各切り込み１６のカーブの内側に一つずつ配置されている。
【００１０】
スリーブ本体１１は、紙や樹脂等の可撓性材料で構成されており、切り込み１６と開口１４の間の部分を外側へ引っ張ると、その部分が破断されずに引き出され、図２に示すように、左右対称の取っ手１５が一組形成され、取っ手１５が引き出された箇所に、大径の開口（窓部１９）が形成される。
逆に、取っ手１５をスリーブ本体１１に向かって押し戻すと、取っ手１５がスリーブ本体１１の側面と面一になるから、スリーブ１０の保管に場所を取らない。更に、スリーブ１０を押し潰して平坦にし、複数のスリーブ１０を重ねて保管することもできる。
【００１１】
図２の符号１は本考案第一例のスリーブ付カップであり、スリーブ付カップ１は、上記スリーブ１０と、カップ２１とを有する。スリーブ本体１１の一端から他端へ向かう程大径にされており、大径な方の端部を上端とすると、上端開口は、カップ２１の底面よりも大径になっている。スリーブ１０をカップ２１に装着させるには、先ず、カップ２１の底面をスリーブ１０の上端開口と対面させた状態で、カップ２１をスリーブ本体１１の内部に挿入する。
【００１２】
カップ２１側壁の底面近傍は外側に膨出し、膨出部２３が形成されている。膨出部２３は複数が底面外周に沿って並べられるか、底面外周に沿ったリング状にされている。膨出部２３の先端を通る仮想的な円周は、スリーブ本体１１の下端開口と同じか、それよりも大径にされ、カップ２１が挿入されると、膨出部２３の先端がスリーブ本体１１の内壁面と接触する。
スリーブ１０とカップ２１のいずれか一方又は両方は、樹脂、紙等の可撓性材料で構成されており、強い力でカップ２１を押し込むと、スリーブ１０とカップ２１のいずれか一方又は両方が変形し、膨出部２３がスリーブ本体１１の下端開口を通過し、カップ２１の底面及び膨出部２３がスリーブ本体１１の下端から突き出される。
【００１３】
カップ２１の底面から上端までの高さは、スリーブ本体１１の長さよりも長く、カップ２１の底面及び膨出部２３がスリーブ本体１１下端から突き出た状態でも、カップ２１の上端はスリーブ本体１１上端より上方にある。
カップ２１は、上端が外側で膨出するか、上端側が大径にされ、スリーブ本体１１上端よりも大径のストッパ２２が形成されている。カップ２１をスリーブ１０に更に挿入すると、ストッパ２２がスリーブ本体１１の上端に接触し、カップ２１がそれ以上挿入されなくなって、カップ２１がスリーブ１０に係止された状態になる。
【００１４】
即ち、ストッパ２２によりカップ２１がスリーブ１０から抜け落ちず、膨出部２３によりスリーブ１０がカップ１０から抜け落ちないから、接着剤等を使用しなくても、カップ２１にスリーブ１０が装着された状態が安定して維持される。
接着剤等を使用しないから、強い力でカップ２１を上方に引き抜けば、スリーブ１０とカップ２１のいずれか一方又は両方が変形し、突起部２３がスリーブ１０上端開口を通過して、カップ２１からスリーブ１０が取り外される。即ち、本考案は、使用時にはカップ２１にスリーブ１０が装着された状態が安定して維持されるにもかかわらず、人の手で簡単にスリーブ１０の着脱が可能である。
【００１５】
図３は、スリーブ１０を装着したカップ２１に、飲料等の液体４１を入れた使用状態を示す側面図である。通常、使用状態では、取っ手１５は引き出され、窓部１９が形成されており、カップ２１の側壁が窓部１９内に露出する。従って、カップ２１の側壁に模様等が印刷されている場合、窓部１９を介してその模様等を視認できる。
カップ２１の少なくとも側壁が透明又は半透明な材料で構成され、その側壁が透視性を有する場合は、カップ２１の側壁と窓部１９を介して、カップ２１内の液体４１が観察でき、カップ２１内に液体４１が入っているか否かが一目で分かる。窓部１９は、スリーブ１０の下端から上端へ延びる細長形状であり、液体４１が減少又は増加しても、その液面を外から観察でき、液体４１の残量が一目で分かるようになっている。
【００１６】
第一例のスリーブ付カップ１はカップ２１の側壁に複数本の溝が形成されている。図４は図３のＡ−Ａ切断線断面図であり、図４の符号は溝２７を示している。各溝２７はカップ２１の底面から上端に向かって延設され、カップ２１の周方向に並んで配置されている。
図４の符号２８は、溝２７と溝２７の間の突部（リブ）を示しており、突部２８は溝２７と平行な細長である。カップ２１は底面よりも上端が広く、その側壁のテーパ角度はスリーブ本体１１のテーパ角度と略等しくされ、カップ２１にスリーブ１０を装着した状態では、各突部２３の先端が一端から他端までスリーブ本体１１の内壁面と接触する。従って、溝２７の内部空間は、溝２７の側面及び底面と、スリーブ本体１１の内壁面で囲まれた状態になり、スリーブ１０を装着する際、溝２７に入り込んだ空気は密閉される。
【００１７】
窓部１９以外では、カップ２１はスリーブ本体１１に囲まれるから、外気に直接触れず、しかも、溝２７に密閉された空気が断熱材として機能するから保温性が高く、カップ２１内部の液体４１が熱いまま、又は冷たいまま維持される。このように、本考案のスリーブ付カップ１は、スリーブ１０に高価な断熱材を使用したり、スリーブ１０やカップ２１を多層構造にしなくても、保温性が高い。
保温性の低い従来のカップに冷たい液体を入れると、外気温と液体の温度差により、カップの側壁に結露が生じるが、本考案のスリーブ付カップ１は保温性が高いから結露し難い。また、窓部１９に露出する部分で結露が生じたとしても、水滴は溝２７に集まって、速やか下方に移動するから、カップ２１側壁に水滴が留まらず、スリーブ１０が濡れない。
【００１８】
次に、本考案に用いるカップ２１の底面形状の一例について説明する。
図５はスリーブ付カップ１を底面側から観察した図である。カップ２１の底面には、底面から外側に突き出る突起部２４が複数形成されており、突起部２４はカップ２１の底面外周に沿って間隔を空けて並べられている。
突起部２４の形状は細長である。突起部２４の中心通って突起部２４の長手方向に延びる仮想的な直線は、カップ２１の底面が円形（正円、楕円等）の場合は、底面外周の接線と斜めに交わり、底面が多角形（三角形、四角形等）の場合は、底面外周と斜めに交わる。即ち、各突起部２４は、カップ２１底面の外周に対し斜めに配置されている。
【００１９】
通常、人間が底面に指を置く時は、持ち易さや安定性を考慮して、カップ２１の底面外周に対して垂直、即ち、突起部２４に対しては斜めに指を置く。突起部２４に対して指が平行な場合に比べ、突起部２４に対して指が斜めに配置されると、指と突起部２４の接触面積が小さくなるから、液体４１によりカップ２１が加熱されても、使用者は熱さをあまり感じずにカップ２１を持つことができる。
【００２０】
以上は、カップ２１の側壁に溝２７が形成された場合について説明したが、本考案はこれに限定されない。図６の符号５は、本考案第二例のスリーブ付カップを示している。このスリーブ付カップ５は、カップ５１の側壁に溝２７が形成されず、平坦にされた以外は、図２のスリーブ付カップ１と同じ構成を有している。この場合も、カップ５１の側壁に透視性を持たせれば、カップ５１内の液体４１を視認することができる。カップ２１、５１の材質と側壁の厚さが同じ場合、溝２７を形成した方が強度が高い。
【００２１】
また、本考案はスリーブ１０に開口１４を設ける場合に限定されない。図７の符号６は本考案第三例のスリーブ付カップを示している。このスリーブ付カップ６は、スリーブ本体６１に開口が形成されていない以外は、第一例のスリーブ付カップ１と同じ構造を有しており、スリーブ本体６１の切れ込みが形成された部分を外側に引き出すと、取っ手６５となる。取っ手６５には開口が形成されていないから、使用者はこの取っ手６５を指でつまんでスリーブ付カップ６を把持する。第三例のスリーブ付カップ６は、開口を形成せずに、切り込みだけを形成すればよいから、スリーブ６０の製造が簡易である。
【００２２】
カップ２１、５１とスリーブ１０、６０に使用される可撓性材料は特に限定されない。例えば、紙やプラスチック（樹脂）であり、プラスチックとしては、ポリエチレン、ポリプロピレン、ポリ塩化ビニル、ポリエチレンテレフタレート（ＰＥＴ）、ポリスチレン等の合成樹脂を使用することができる。これらの合成樹脂は一種類を単独で用いてもよいし、二種類以上を混合して用いてもよい。
可撓性材料の中でも、紙は印刷が容易であるから、スリーブ１０、６０に紙を用いれば、スリーブ１０、６０に模様、広告又は説明文等を印刷して、スリーブ付カップ１、５のデザイン性を向上させることができる。また、紙は切り込み１６の形成も容易であるから、その点でもスリーブ１０、６０の材料として優れている。
【００２３】
カップ２１、５１の材料としては、防水性の観点からプラスチック（樹脂）が特に好ましい。透明性の観点からは透明プラスチックが特に好ましく、透明プラスチックにフィラー等の補強剤を添加することもできる。カップ２１、５１は全部を同じ材料で構成してもよいが、少なくとも側壁部分が透視性を持つのであれば、底面や膨出部２２等が不透明であってもよい。また、カップ２１、５１の側壁の透視性を損なわない範囲で、側壁を着色したり、模様等を付してもよい。
カップ２１、５１の窓部１９に露出する部分に目盛を設けてもよい。この場合、カップ２１、５１内の液体４１の液面と目盛とを見比べることで、液体４１の残量を数値化して視認することができる。
【００２４】
上記第一〜第三例、いずれの場合も、スリーブ１０、６０の着脱は簡単に行える。従って、スリーブ１０、６０とカップ２１、５１が異なる材料からなる場合、使用後はスリーブ１０、６０をカップ２１、５１から取り外し、別々の資源ごみとしてごみ回収に出すことができる。例えば、多くの自治体は、紙、ＰＥＴ（ポリエチレンテレフタレート）、その他のプラスチックを別々に回収する。従って、スリーブ１０、６０を紙又はＰＥＴ製、カップ２１、５１をその他プラスチック製にする場合、スリーブ１０、６０をその他プラスチック製、カップ２１、５１を紙又はＰＥＴ製にする場合と、スリーブ１０、６０とカップ２１、５１のいずれか一方を紙製、他方をＰＥＴ性にする場合、本考案のスリーブ付カップ１、５、６は、自治体の資源ごみに出すのが容易である。
また、スリーブ１０、６０の装着に接着剤等を用いないため、スリーブ１０、６０とカップ２１、５１のいずれか一方が破損等した場合、スリーブ１０を取り外し、破損した方を捨て、破損していない方を再利用することも可能である。
【実施例】
【００２５】
本考案第一、第二例のスリーブ付カップ１、５に、７７〜７９℃のホットコーヒーを注ぎ、内側と外側の温度差を測定した。
温度測定は、デジタル温度計（佐藤計量器製作所製の商品名SK-1110SK-SATO）と、２つのセンサーを用いて測定した。即ち、針のようなセンサーで容器内のコーヒーを測定し、Ｋタイプのセンサー（株式会社エー・アンド・デイ製の商品名ＡＤ−１２１７）に付け替えて、容器側面の温度を測定した。
【００２６】
測定結果を図８のグラフに示す。尚、比較例として、外側にエンボス加工紙が貼られた二重構造の断熱カップ（東罐興業株式会社製の商品名ＳＭＰ−３４０Ｅ）を用い、同様の試験を行った。図８のグラフから分かるように、本考案第一例のスリーブ付カップ１は、従来の断熱カップよりも保温性に優れており、二重構造等の高価な構造を施さなくても、保温性が高いことがわかる。従って、分別回収性、不使用時の収納性等だけでなく、保温性の要求が高い場合には、溝２７を設ければよいことがわかる。
【符号の説明】
【００２７】
１、５、６      スリーブ付カップ
１０、６０      スリーブ
１１、６１      スリーブ本体
１４      開口
１５、６５      取っ手
１６      切り込み
１９      窓部
２１、５１      カップ
２４      突起部
２７      溝
【図１】
0003154204.tif 000003
【図２】
0003154204.tif 000004
【図３】
0003154204.tif 000005
【図４】
0003154204.tif 000006
【図５】
0003154204.tif 000007
【図６】
0003154204.tif 000008
【図７】
0003154204.tif 000009
【図８】
0003154204.tif 000010